Podtech/llm-jp-corpus-v4-ja_patent huggingface dataset:
(57)【要約】      （修正有）【課題】背中及び背骨の筋に沿って両側に多くある指圧のツボを自らの手で圧し、マッサージすることができる指圧・マッサージ棒を提供する。【解決手段】棒１に棒より径の大きな車輪状のもの２を背骨にあたらないように間隔を開けて二つ取り付ける。自己の手で棒１を使い、背中及び背骨の両脇に在るツボを圧す。【選択図】図２
0003188243.tif 000002
【実用新案登録請求の範囲】
【請求項１】
背中及び背骨の両脇に在るツボを圧すため、棒（１）に棒より径の大きな車輪状のもの（２）を二つ、背骨に当たらないように間隔をあけて取り付ける。体格差を考え車輪状のものは、棒の長軸方向に動かせるようにする。
【請求項２】
車輪状（２）とは、円筒形、或いは球体を輪切りにしたものの一部又は球体とする。外周面（３）は平面又は突起をつける。
【考案の詳細な説明】
【技術分野】
【０００１】  本考案は背中をマッサージし背中の指圧のツボを圧す棒である。
【背景技術】
【０００２】  従来、指圧、マッサージに関する棒は、棒の長方向に沿って溝を刻むか、棒にねじったものを取り付けるかで、合理的に背骨の筋に沿って指圧、マッサージする棒はない。
【先行技術文献】
【０００３】
【特許文献１】
【非特許文献１】
【考案の概要】
【考案が解決しようとする課題】
【０００４】  背中及び背骨の筋に沿って両側に多くの指圧のツボがある。それら指圧のツボを自らの手で圧し、マッサージすることができるようにしたものである。
【課題を解決するための手段】
【０００５】  棒に棒よりも径の大きい車輪状のものを二つ、貫く形で取り付ける。
【考案の効果】
【０００６】  自己の手で本考案の棒を使いツボを圧し、マッサージすることができる。
【図面の簡単な説明】
【０００７】
【図１】平面図。
【図２】斜視図。
【図３】実施図
【考案を実施するための形態】
【０００８】  図２で示す形態である。
【実施例】
【０００９】  棒を背面で水平に持つと臀部の位置に来る。棒を手首に引っ掛けて上方に転がしていくと取り付けられた車輪状のものが背骨の脇を転がってツボを圧しまたマッサージすることができる。肩甲骨に行き着くまでの間で棒の転がりを止め棒と一緒に体を捻ると、強くツボを押すこともできる。
【産業上の利用可能性】
【００１０】
【符号の説明】
【００１１】  １・棒                  ２・車輪状のもの
３・外周面
【図１】
0003188243.tif 000003
【図２】
0003188243.tif 000004
【図３】
0003188243.tif 000005
【手続補正書】
【提出日】平成25年10月16日(2013.10.16)
【手続補正１】
【補正対象書類名】実用新案登録請求の範囲
【補正対象項目名】全文
【補正方法】変更
【補正の内容】
【実用新案登録請求の範囲】
【請求項１】
背中及び背骨の両脇に在るツボを圧すため、棒（１）に棒より径の大きな車輪状のもの（２）を背骨にあたらないように間隔を開けて二つ取り付けることを特徴とする指圧・マッサージ棒。
(57)【要約】      （修正有）【課題】ダンボール印刷用印版の整版フイルム延長に関し、余分な時間やコストをかける事無く、簡易に印刷機の変更が可能で、製箱業務の自在性が大幅に拡大でき、工場運営面の向上に寄与出来る効果のある整版フィルム継ぎ足し具を提供する。【解決手段】継ぎ足しフイルムＫの一方側に、整版フイルムと接合するための止め溝囲い棒Ｈと外れ防止の被せ蓋Ｉを設けるとともに、他方側に止め棒Ａを設けたことを特徴とする。【選択図】図３
0003188241.tif 000002
【実用新案登録請求の範囲】
【請求項１】
整版フイルムとの接合部は整版フイルム止め棒が平行に埋め込められる直線状の溝と外れ防止の被せ蓋を施し、版胴にセットする反対側は止め棒を設け中間部はフイルム状とした整版フイルム継ぎ足し具。
【考案の詳細な説明】
【技術分野】
【０００１】  本考案は、ダンボール印刷用印版の整版フイルム延長に関するものである。
【背景技術】
【０００２】  従来、印版を貼り込んだ整版フイルムは、印刷機の版胴に固定する為、回転側両端に施されている止め棒を、片方は版胴に刻まれている止め溝に引っ掛け、もう一方は止め溝の銜え回転子で強力に締め付け、整版フイルムを版胴に密着させて安定した印刷を図っている。
版胴には止め溝のピッチ２〜３種が刻まれており製箱サイズ等を考慮して印刷機ごとにピッチ幅が異なっている場合が多い。
よって、整版フイルムの止め棒のピッチ幅も僅かな誤差で安定した印刷が不可能になる事から、其々の版胴に合わせた専用フイルムで作られている。（図１参照）
【考案の開示】
【考案が解決しようとする課題】
【０００３】  しかし、印刷機の故障や点検及び印刷ラインや印刷工場の移動等、印刷機の変更時に整版フイルムの止め棒のピッチ幅を合わせる作業が発生し、既存のフイルムを切断して調節したり、新しいフイルムに印版を貼り替えたりしている。
更に印刷ラインを元に戻す場合、再び同様な作業が必要になってしまう不合理で無駄な作業が課題として存在している。
【課題を解決する為の手段】
【０００４】  そこで整版フイルムを延長したい場合、印刷用整版フイルムの止め棒を平行に埋め込められる直線状の溝を施し、外れ防止の蓋を設け、反対側は版胴にセット出来る止め棒を施し中間部はフイルムを装着した本考案のワンタッチ式継ぎ足し具を使用する事によりこの課題を解決する。
（図３参照）
【考案の効果】
【０００５】  よって、本考案の継ぎ足しフイルムの使用により、余分な時間やコストをかける事無く、簡易に印刷機の変更が可能になり、製箱業務の自在性が大幅に拡大できる事から工場運営面の向上に寄与出来るものである。
【考案を実施する為の最良の形態】
【０００６】  本考案に係るフイルム継ぎ足し具は、片方に整版フイルム止め棒が平行に密着する形で埋め込められる直線状の収納溝を施し、その止め棒が外れない様にやや硬質性の上蓋を設け、接着テープで蓋を被せて固定する。
もう一方は整版フイルムと同様な止め棒を施し中間部はフイルムシートとする事により、整版フイルムと継ぎ足し具が一体となり整版フイルムの延長が容易に可能となる。
取り外しもワンタッチで他の整版フイルムに即時使用出来る。
素材は整版フイルムと同じ、ポリプロピレンのフイルムシートとＡＢＳ樹脂の収納溝の囲い棒や止め棒の組み合わせが望ましい。（図２、図３参照）
【図面の簡単な説明】
【０００７】
【図１】（１）整版フイルムの状態である。（２）整版フイルムの断面図である。（３）版胴に整版フイルムを装着した斜視図である。
【図２】（１）本考案の継ぎ足し具の状態である（２）本考案の継ぎ足し具の断面図である。
【図３】（１）本考案の継ぎ足し具と整版フイルムの接合部の断面図である。（２）整版フイルムと継ぎ足し具が接合された全体図である。
【符号の説明】
【０００８】Ａ    止め棒
Ｂ    整版フイルムシート
Ｃ    印版
Ｄ    版胴
Ｅ    止め溝
Ｆ    銜え回転子付き止め溝
Ｇ    止め棒収納溝
Ｈ    止め溝囲い棒
Ｉ    被せ蓋
Ｊ    接着テープ
Ｋ    継ぎ足しフイルム
【図１】
0003188241.tif 000003
【図２】
0003188241.tif 000004
【図３】
0003188241.tif 000005
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
継ぎ足しフイルム（Ｋ）の一方側に、整版フイルムと接合するための止め溝囲い棒（Ｈ）と外れ防止の被せ蓋（Ｉ）を設けるとともに、他方側に止め棒（Ａ）を設けた整版フイルム継ぎ足し具。
(57)【要約】      （修正有）【課題】スタンドなどの他の製品を利用する事無く、ＬＥＤ拡大鏡本体のみで拡大倍率を調節可能にするＬＥＤ拡大鏡を提供する。【解決手段】拡大レンズ１と、ＬＥＤ照明灯のＯＮ／ＯＦＦ制御スイッチ２と、螺旋溝３と、ＬＥＤ照明灯と、レンズ固定金具５と、バッテリー収納ケースと、稼動部分３１と、固定部分３２を有する。螺旋溝３にそって稼動部分３１を回転させる事により、拡大レンズ１の高さを調節可能にする。拡大倍率を容易に変更し、手やスタンドなどを使わずに見ることが出来る。【選択図】図１
0003188248.tif 000002
【実用新案登録請求の範囲】
【請求項１】
拡大レンズ１と、ＬＥＤ照明灯のＯＮ／ＯＦＦ制御スイッチ２と、螺旋溝３と、ＬＥＤ照明灯４と、レンズ固定金具５と、バッテリー収納ケース６と、稼動部分３１と、固定部分３２を有する拡大鏡であって、螺旋溝３にそって稼動部分３１を回転させる事により、拡大レンズ１の高さを調節可能な事を特徴とするＬＥＤ拡大鏡である。
【請求項２】
請求項１に記載のＬＥＤ拡大鏡であって、螺旋溝３を滑らせ可動部分３１が内螺旋管、固定部分３２が外螺旋管になり、内螺旋管と外螺旋管が連結する事を特徴とするＬＥＤ拡大鏡である。
【請求項３】
請求項２に記載のＬＥＤ拡大鏡において、ＬＥＤ照明灯４をバッテリー収納ケース６に収納されている電池から電力供給する事を特徴とするＬＥＤ拡大鏡である。
【請求項４】
請求項１〜３のいずれか一項に記載のＬＥＤ拡大鏡において、固定部分３２がＬＥＤ照明灯のＯＮ／ＯＦＦ制御スイッチ２を可動部分３１に押し込む事により、ＬＥＤ照明４を点灯／消灯させる事を特徴とするＬＥＤ拡大鏡である。
【考案の詳細な説明】
【技術分野】
【０００１】    この考案は、ＬＥＤ照明灯を用いて接写部分を明るくし、拡大レンズの拡大率を連続して調整する事が出来る拡大鏡である。
【背景技術】
【０００２】    従来、手持ち式拡大鏡は固定倍率であり、倍率を変更するときは、接写距離を変える事でしか調節できず、正確な倍率への変更が困難である上、目と手が疲れやすい。
【特許文献】
【０００３】
【特許文献１】    実用新案登録第３００２５１９号
【特許文献２】    特開２０１１−２２２２９７
【考案が解決しようとする課題】
【０００４】    手持ち式拡大鏡は固定倍率になっており、焦点をあわせるのが容易ではない上に、常に手で持っているか、スタンドなどの他の製品で固定しなければならない。
【０００５】    この考案は、こうした課題を解決することを目的とするもので、スタンドなどの他の製品を利用する事無く、ＬＥＤ拡大鏡本体のみで拡大倍率を調節可能にする事を目的とするものである。
【課題を解決するための手段】
【０００６】    上記の課題を解決するため、拡大レンズを上下移動する事で拡大倍率の調整を行い、焦点は螺旋溝によって容易にあわせる事を可能にする物である。
【考案の効果】
【０００７】    この考案は以上のように構成され、このＬＥＤ拡大鏡を用いることで、スタンドなどの他の製品を利用する事なく、ＬＥＤ拡大鏡単体での使用を可能にする事が出来る。
【０００８】    また、この考案のＬＥＤ拡大鏡は置き型照明器具としても使用可能であり、大きな商品価値を有するものである。
【図面の簡単な説明】
【０００９】
【図１】本考案のＬＥＤ拡大鏡を説明するための図
【図２】本考案のＬＥＤ拡大鏡の平面図
【図３】本考案のＬＥＤ拡大鏡の底面図
【符号の説明】    １    拡大レンズ
２    スイッチ
３    螺旋溝
４    ＬＥＤ照明灯
５    レンズ固定金具
６    バッテリー収納ケース
３１  可動部分
３２  固定部分
【考案を実施するための形態】
【００１０】    以下に、この考案の実施の形態を、図面に基づいて説明する。
この考案のＬＥＤ拡大鏡は、図１に示すように構成され、拡大レンズ１をレンズ固定金具５で固定し、可動部分３１を螺旋溝３に沿って回転させる事で高さ調節を行い、スイッチ２を固定部分３２で押す事で、ＬＥＤ照明灯４を点灯／消灯する事ができる。
【００１１】      このＬＥＤ拡大鏡は、可動部分３１を螺旋溝３に沿って回転させる事で拡大倍率を調節し、手やスタンドなどの他の商品を使用せずに焦点をあわせる事が出来る。
【図１】
0003188248.tif 000003
【図２】
0003188248.tif 000004
【図３】
0003188248.tif 000005
(57)【要約】      （修正有）【議題】設置面積が小さくて大きな出力を得ることのできる縦列多段の熱磁気エンジンを提供する。【解決手段】磁石２を支持体４に固定し、感温磁性材料を装着した環状軌道３あるいは感温磁性材料で形成した環状軌道３を磁場中に通した複数個の環状軌道３を具備する。複数個の環状軌道３を縦列で多段に配列して回転を外部に伝達する垂直に立てた回転軸１で支持する。【選択図】図１
0003188288.tif 000002
【実用新案登録請求の範囲】
【請求項１】
磁石を支持体に固定し、感温磁性材料を装着した環状軌道あるいは感温磁性材料で形成した環状軌道を磁場中に通した複数個の環状軌道を具備し、複数個の環状軌道を縦列で多段に配列して回転を外部に伝達する垂直に立てた回転軸で支持した縦列多段の熱磁気エンジン。
【考案の詳細な説明】
【技術分野】
【０００１】  本考案は、感温磁性材料を用いた熱磁気エンジンで設置面積が小さくて大きな出力を得ることができる縦列多段の熱磁気エンジンに関するものである。
【背景技術】
【０００２】  従来、感温磁性材料を用いた熱磁気エンジンが発明されているが、小さい設置面積で大きな出力を得ることは難しかった。【０００３】
【特許文献１】特開平６−１４１５７２（磁性体エンジン）
【特許文献２】特開平９−２６８９６８（熱磁気エンジン）
【考案の開示】
【考案が解決しようとする課題】
【０００４】  本考案は、従来の課題を解決し、設置面積が小さくて大きな出力が得られる熱磁気エンジンを提供する目的からなされたものである。【０００５】  上記の課題を解決する本考案は、以下の通りである。
磁石を支持体に固定し、感温磁性材料を装着した環状軌道あるいは感温磁性材料で形成した環状軌道を磁場中に通した複数個の環状軌道を具備し、複数個の環状軌道を縦列で多段に配列して回転を外部に伝達する垂直に立てた回転軸で支持した縦列多段の熱磁気エンジン。
【考案の効果】
【０００６】  本考案は、動作原理上１台だけで大出力を得ることが難しい熱磁気エンジンにおいて、複数個の環状軌道を縦列に多段に配列して連動することによって、設置する床面積が少ないながらも大出力が得られる縦列多段の熱磁気エンジンを考案できたものである。【０００７】  現在、感温フェライトやＦｅ−Ｎｉ、Ｆｅ−Ｎｉ−Ｃｒ等の感温磁性材料が生産されており、近年更に磁気特性の優れたＭｎＡｓ、ＭｎＦｅ等の感温磁性材料が開発されているので、これらの素材を用いると１００度Ｃ以下の熱源で駆動する熱磁気エンジンを作ることができ、本考案の縦列多段の熱磁気エンジンは、実用的な大出力を得ることができるのでエネルギーと環境保全上極めて有益なものである。
【考案を実施するための最良の形態】
【０００８】  以下、本考案の実施の形態について図をもって説明する。
図１は本考案実施例の縦列多段の熱磁気エンジンの正面図で、磁石２を支持体４に固定し、感温磁性材料を装着した環状軌道３を磁場中を通し、複数個の環状軌道３を縦列で多段に配列して回転軸４で支持した縦列多段の熱磁気エンジンで、段数を３段とした実施例であるが、段数は出力に応じて任意とすることができる。【０００９】  図２はその中央断面図であり、複数個の環状軌道３を垂直に立てた回転軸４で支持した極めて簡易な構成でありながらも、複数個を連動することで大きな出力を得ることができる。【００１０】  本実施例は、加熱、冷却熱源に液体を用いた実施例である。
【図面の簡単な説明】
【００１１】
【図１】本考案の縦列多段の熱磁気エンジンの正面図である。
【図２】本考案の縦列多段の熱磁気エンジンの中央断面図である。
【符号の説明】
【００１２】１…回転軸
２…磁石
３…感温磁性材料を装置した環状軌道あるいは感温磁性材料で形成した環状軌道
４…支持体
５…加熱、冷却熱源導入口
６…加熱、冷却熱源出口
７…軸受
８…磁石固定板
【図１】
0003188288.tif 000003
【図２】
0003188288.tif 000004
(57)【要約】      （修正有）【課題】高齢者や女性・子供等、指先の力の弱い人でも開け易く、指先の力が入り易い構造のペットボトル蓋を提供する。【解決手段】ペットボトル等のネジ式蓋１の外周壁２の下部縁３の任意の複数箇所に、指のひっかかり部となる半球状の膨らみをもって、外方向に突き出る、小突起４を設ける。【選択図】図１
0003188284.tif 000002
【実用新案登録請求の範囲】
【請求項１】
ペットボトル等のネジ式蓋の外周壁の下部縁の任意の複数箇所に、半球状の膨らみをもって、外方向に突き出る形で小突起を設けたことを特徴とする楽に開け易いペットボトル蓋。
【考案の詳細な説明】
【技術分野】
【０００１】  本考案は、全てのソフトドリンク、酒、ビール、乳飲料、調味料容器（含む缶詰、瓶詰等）の蓋を楽に開け易くする工夫に関するものである。【０００２】  プラスチック、アルミ、スチール製等のリシール仕様蓋は、非力な女性（ネイルアート）、高齢者、腕、指の障害・負傷者には開け辛い構造になっており、一旦開けたら中身を一気に飲み干さねばならず、保管、携帯が非常に難しい。
尚、ペットボトルの蓋に突起を設けて、指かかり部を形設した先行技術も知られている（特許文献１参照）。又片手で開閉できるペットボトル用キャップも知られている（特許文献２参照）。
【先行技術文献】
【特許文献】
【０００３】
【特許文献１】  登録実用新案第３１７６６２２号公報
【特許文献２】  登録実用新案第３１４１４２２号公報
【考案の概要】
【考案が解決しようとする課題】
【０００４】  従来、硬く絞められた、リシール蓋は、回し開けようとする指先がすべって力がはいりにくく、児童、非力な女性（ネイルアート）、高齢者、腕、指に障害・負傷者の力では開けるのが困難であった。
参照考文献１に示される先行技術は、出し入れ・管理作業中等に、他の容器等と接触する危険性が高い部位であるペットボトルの蓋の上部に、２ヶ所指かかり突起を設けてあり、蓋が外れたり、周りの荷物を倒したりする危険がある。
例えば、縁日でのどぶ漬け混合売り、店舗陳列売り、自動販売機の屋内外売りがあり、特に自販機の構造上、上から落下させる充填方式なので、容器同士のぶつかり合いが避けられず、こすれ合って中身がこぼれたり、破損したりする危険性が少なくない。
参照文献２の片手開閉式蓋は、簡単に開け易いポップアップの構造なので、作業中に突起物に下からの力が加われば、ちょっとしたことで開いてしまう危険性があり、倉庫内での保管作業や自販機の出し入れ等の作業の立場から見れば、かなり心配である。
【課題を解決するための手段】
【０００５】  ペットボトル等のネジ式蓋の外周壁の下部縁の任意の複数箇所に、半球状の膨らみをもって、外方向に突き出る形で、小突起を形設する。
以上を特徴とする楽に開け易いペットボトル蓋である。
【考案の効果】
【０００６】  蓋を回し開けようとする時、指のひっかかり部を複数設けてあるので力が入り易く、容易に開閉できる。以前は「開け辛さ」の苦痛を思って買い控えた人も、気軽に購入しようという気になり、購入増加にもつながる。
【図面の簡単な説明】
【０００７】
【図１】本考案の実施例を示す斜視図
【図２】本考案の別の実施例を示す斜視図
【考案を実施するための形態】
【０００８】  以下、本考案の実施の形態を説明する。
プラスチック製（図１）、アルミ、スチール製回転式蓋（図２）等を開ける時に、指の力を入れ易くするため、蓋（１）の外周壁（２）の下部縁（３）の任意の複数箇所に半球状の膨らみをもって、外方向に突き出る形で、小突起（４）を形設する。
本考案は、以上のような構成であり、これを実際に使用するときは、容器の蓋（１）の小突起（４）に指先を引っ掛けて、力を入れて回すと、指先の力が十分に伝わり、簡単に蓋（１）が外せる。これを知る人が増えるに従い、それまで開け辛さのために購入を敬遠していた消費者も気軽に購入するようになる。又、小突起の位置が蓋の上部でなく、下部にあって・ペットボトル胴部の大きさによって・他の容器と当たりにくいので、破損事故の誘因になる確率はほとんどない。
【符号の説明】
【０００９】  １  蓋
２  外周壁
３  下部縁
４  小突起
【図１】
0003188284.tif 000003
【図２】
0003188284.tif 000004
(57)【要約】      （修正有）【課題】従来器具の欠点である、「洗浄液の加圧力が一定でないことによる不快感」及び「洗浄液の容量不足による詰め替え作業の煩わしさ」を解消し、鼻洗浄をより快適に行うことができる電動式鼻洗浄器具を提供する。【解決手段】小型の電動エアポンプ１に、空気噴出孔と洗浄液噴出孔とを備えた、ネジ式キャップ２を一体成型し、これらに適寸のシリコンチューブ４を取り付け、洗浄液を充填したペットボトル３を装着する。鼻腔内洗浄中の洗浄液の圧力を常に一定に保つことで、洗浄液の加圧力の強弱による鼻洗浄時の不快感の解消と、洗浄液の詰め替え作業の煩わしさを軽減することが出来る。【選択図】図２
0003188238.tif 000002
【実用新案登録請求の範囲】
【請求項１】
小型の電動式エアポンプに、特殊形状のキャップを一体成型することにより、洗浄液が鼻腔内に一定圧力で送り出されることを特徴とする、電動式鼻洗浄器具。
【請求項２】
ペットボトル形式のキャップを採用することにより、洗浄液の詰め替え作業が軽減され、ペットボトルの容量を変えることで、使用者に合った洗浄液の量を、自分で設定できることを特徴とする、請求項１記載の電動式鼻洗浄器具。
【考案の詳細な説明】
【技術分野】
【０００１】  本考案は、鼻洗浄を快適に行う為の、電動式エアポンプ使用による、鼻洗浄器具に関する考案である。
【背景技術】
【０００２】  従来の鼻洗浄器具（以下「従来器具」と表記）の多くは、手動による加圧式の機構のものが多く、使用中の洗浄液加圧力を一定に保つのは困難である（例えば、特許文献１参照）。【０００３】  従来器具の多くは、一度に使用出来る洗浄液の量が少なく、洗浄液の詰め替え作業が煩雑である。（例えば、特許文献１参照）。
【先行技術文献】
【特許文献】
【０００４】
【特許文献１】特開２００４−１２３７５０
【考案の概要】
【考案が解決しようとする課題】
【０００５】  本考案は、従来器具の欠点である、「洗浄液の加圧力が一定ではないことによる不快感」及び「洗浄液の容量不足による詰め替え作業の煩わしさ」を解消し、鼻洗浄をより快適に行うことを目的とすることを課題とする。
【課題を解決するための手段】
【０００６】  上記の課題を解決する為に、小型の電動エアポンプに、空気噴出孔と、洗浄液噴出孔とを備えた、ねじ込み式キャップを一体成型する。キャップ内の洗浄液噴出孔には適寸（２０ｃｍ程度）のシリコンチューブが装着されており、このキャップ部に、洗浄液を満たしたペットボトルを装着することが出来る。  洗浄液噴出孔の行き先は、本体内部を通り、本体横の外部噴出孔につながっており、その先には適寸（４０ｃｍ程度）のシリコンホースが取り付けられている。  外部シリコンホースの噴出先端部には、鼻穴に密着する形状のシリコンボール（直径２ｃｍ程度）を取り付けることで、鼻腔内に洗浄液が外部に漏れることなく充満できるようになっており、使用時にはこのシリコンボールを、軽く鼻穴口に押し付けることによって、洗浄液を鼻腔内に充填することができる。  電動エアポンプの電源を入れることにより、ペットボトル内に加圧空気が送り込まれ、その空気圧力によりペットボトル内の洗浄液がシリコンチューブを通って、鼻腔内に一定の圧力で送り出される。
【考案の効果】
【０００７】  本考案により、鼻腔内洗浄中の洗浄液の圧力は、常に一定に保たれ、加圧力の強弱による鼻洗浄時の不快感が解消される。【０００８】  本考案により、洗浄液の詰め替え作業が軽減され、ペットボトルの容量を変えることで、使用者に合った洗浄液の量を、自分で設定することができる。
【図面の簡単な説明】
【０００９】
【図１】この考案の実施形態を示す平面図である。
【図２】この考案の使用時の概略図である。
【考案を実施するための形態】
【００１０】  図１は、本考案装置の構造の平面図であって、小型の電動エアポンプ（１００Ｖ電源式、または乾電池式エアポンプ）に、特殊形状のキャップが一体成型されており、キャップ部には加圧空気吐き出し孔ａと、洗浄液吐き出し用のシリコンチューブを取り付ける為の内部突起ｂが設けられている。  突起ｂの管はキャップ部から本体の中を通り、本体横の洗浄液吐き出し用外部突起ｃへと繋がっている。
【００１１】  使用に際しては、突起ｂに、使用するペットボトルの深さに相当するシリコンチューブを取り付け、突起ｃには、洗浄液噴出部先端に、鼻穴に密着する形状のシリコンボール（直径２ｃｍ程度）が取り付けられたシリコンホースを適寸（４０ｃｍ程度）取り付けて、洗浄液を満たしたペットボトルを本装置のキャップ部に取り付ける。  吐き出し口のシリコンボールを、洗浄液が鼻腔外に漏れることがないように、鼻穴口に軽く押し付けて、その後に電動ポンプの電源スイッチを入れることにより、ペットボトル内に加圧空気が送り込まれ、その空気圧力によりペットボトル内の洗浄液がシリコンチューブを通って、鼻腔内に一定圧力で送り出される。
【実施形態の効果】
【００１２】  洗浄液が、鼻腔内に一定圧力で送り出されることにより、快適に鼻腔内の洗浄を行うことが出来る。  また、洗浄液の補充作業が軽減されることにより、従来器具に比べ、鼻腔洗浄作業の煩わしさが軽減される。
【符号の説明】
【００１３】    １  電動式エアポンプ
２  ペットボトル型ネジ式キャップ部
３  ペットボトル
４  シリコンチューブ
５  洗浄液
６  シリコンボール
ａ  加圧空気吐き出し孔
ｂ  洗浄液吐き出し用キャップ内突起
ｃ  洗浄液吐き出し用外部突起
【図１】
0003188238.tif 000003
【図２】
0003188238.tif 000004
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
小型の電動式エアポンプに、加圧空気吐き出し孔と、洗浄液吐き出し用キャップ内突起とを備えた、ネジ式キャップ部とを組み合わせ、それらを一体構造とし、またその一体構造外部に、洗浄液吐き出し用外部突起を設け、それぞれの突起部に、適度な長さのシリコンチューブを配置した装置と、洗浄液タンクとを組み合わせる事で、一定の空気圧力により、洗浄液が鼻腔内に一定圧力で送り出されることを特徴とする、電動式鼻洗浄器具。
【請求項２】
前記洗浄液タンクにペットボトルが使用出来るように、ネジ式キャップ部に、ペットボトル用のネジ式キャップと同等品を使用することで、洗浄液タンク容量の変更を、容易にすることを特徴とする、請求項１記載の電動式鼻洗浄器具。
(57)【要約】      （修正有）【課題】出入りの際に、内部のプライバシーを確保し、プライベート空間を外側の人々に見られないという安心感をもたらす出入り口内部目隠し機能付パーテーションを提供する。【解決手段】パーテーションの出入り口の外側に出入り口外部布を、前記出入り口の内部に目隠し用布２を備え、前記外部布を巻き上げた際１に、前記目隠し用布によって内部が見えないようにした。【選択図】図１
0003188236.tif 000002
【実用新案登録請求の範囲】
【請求項１】
出入り口に目隠し機能を付け、出入りの際の内部のプライバシーを確保したパーテーション
【考案の詳細な説明】
【技術分野】
【０００１】本考案は、パーテーションの出入り口に際して、内部が見えぬ様に目隠し機能を設けたパーテーションに関するものである。
【背景技術】
【０００２】従来、パーテーションへの出入りの際、外側から内部が見えていた。
【考案の概要】
【考案が解決しようとする課題】
【０００３】パーテーションへの出入りの際、出入り口に目隠し機能が付いていない事により外側から内部が見えてしまい、プライバシーが守られていなかった。
【課題を解決するための手段】
【０００４】本考案は、パーテーションの出入り口に目隠し機能を付ける事により、出入りの際の内部のプライバシーを確保。
【考案の効果】
【０００５】パーテーションへの出入りの際に、考案された内部目隠し機能により、内部のプライバシーを確保し、プライベート空間を外側の人々に見られないという安心感をもたらす。
【図面の簡単な説明】
【０００６】
【図１】本考案の出入り口内部目隠し機能付パーテーションの全体図である。
【図２】目隠し機能を収納し、内部が見える状態の図である。
【図３】出入り口を完全に閉じた状態の図である。
【図４】目隠し機能を収納した状態の正面表側の図である。
【図５】目隠し機能を収納した状態の正面内側の図である。
【考案を実施するための形態】
【０００７】図１にある２は本来別途用意していたものをパーテーション出入り口内部に一体化して、出入り口の外部布を巻き上げても内部が見えない様にする。
【実施例】
【０００８】図３が出入り口を完全に閉じた状態である。出入りの際、図３の４を両サイドに巻き上げ、５で固定した状態が図１の様になるが、２の目隠し用布により、内部が見えない様になる。【０００９】図２の３が目隠し機能を収納した状態であり、パーテーションへの出入りの際、段差等がなく、バリアフリーとして出入りが容易になる。
【符号の説明】
【００１０】１  出入り口外部布巻き上げ固定時
２  目隠し用布
３  目隠し用布巻き上げ固定時
４  出入り口外部布
５  巻き上げ固定ヒモ
【図１】
0003188236.tif 000003
【図２】
0003188236.tif 000004
【図３】
0003188236.tif 000005
【図４】
0003188236.tif 000006
【図５】
0003188236.tif 000007
【手続補正書】
【提出日】平成25年10月21日(2013.10.21)
【手続補正１】
【補正対象書類名】実用新案登録請求の範囲
【補正対象項目名】全文
【補正方法】変更
【補正の内容】
【実用新案登録請求の範囲】
【請求項１】
パーテーションの出入り口の外側に出入り口外部布を、前記出入り口の内部に目隠し用布を備え、前記外部布を巻き上げた際に、前記目隠し用布によって内部が見えないようにしたことを特徴とする出入り口内部目隠し機能付パーテーション。
(57)【要約】      （修正有）【課題】トイレットペーパーを使用時に、片手でペーパー停止レバーを押して容易に切断でき、また、本体上部にマグネットボックスを装着しペーパーを用意した、思いやりのある片手でもできるトイレットペーパー巻き取り器を提供する。【解決手段】トイレットペーパーホルダーの下側に片手でもできるトイレットペーパー巻き取り器本体１の底辺と上辺に強力両面テープをはり壁側に密着し、本体の上部をトイレットホルダーにかかるようにして本体の落下を防止し固定する。本体に円形の巻き取りハンドル２を装着し、その先にトイレットペーパーを入れる隙間のある巻き取り板３を装着する。また、円形巻き取りハンドルのそばにトイレットペーパーの回転を停止する停止レバー４を装着したことで、一般の方、片手の方でも容易に切断できる。また、本体の上部右にマグネットボックス５を装着し、子供、老人用に使用するペーパーが用意できる。【選択図】図２
0003188240.tif 000002
【実用新案登録請求の範囲】
【請求項１】
片手でもできるトイレットペーパー巻き取り器本体１に円形の巻き取りハンドル２を装着しその先に、トイレットペーパーを入れるすきまのある巻き取り板３を装着し、円形の巻き取りハンドル２のそばに、トイレットペーパーの回転を停止するペーパー停止レバー４を装着して、片手の方でも切断できるようにした。また、本体１の上部右にマグネットボックスを装着できる、片手でもできるトイレットペーパー巻取り器。本体１の取り付けは、底辺と上辺に強力両面テープをはり壁側に密着し、また本体１の上部をトイレットペーパーホルダーにかかるようにして本体１の落下を防止して固定する。
【考案の詳細な説明】
【考案の詳細な説明】
【考案が解決しようとする課題】
【０００１】  従来はトイレットペーパーを使用するときに、手で巻き取りそれを折りたたみ等して使用していたが、わずらわしくて面倒であり不便を感じて使用していた。また片手の方でもペーパー停止レバー４を押して容易に切断できるようにした。また、本体１の上部右にマグネットボックスを装着し、子供、老人用にペーパーを用意できるようにした。思いやりのある片手でもできるトイレットペーパー巻き取り器。
【課題を解決するための手段】
【０００２】  上記目標を達成するために、トイレットペーパーホルダーの下側に片手でもできるトイレットペーパー巻き取り器の本体１の底辺と上辺に強力両面テープをはり壁側に密着し、また本体１の上部をトイレットホルダーにかかるようにして本体１の落下を防止して固定する。使用は、ホルダーからのペーパーを巻き取り板３のすきまに合わせて１０ｃｍ位のばして入れて、円形のハンドル２を前側に向けて回転させ、トイレットペーパーが使用分巻ければ、ペーパー停止レバー４を人差し指で押えると、その上部のかぎが下がりペーパーを内側より下にさげてペーパーの回転を停止したあと、親指と中指でハンドル２をまわすと、ペーパーが切り目のところで切断できる。切断したペーパーを左に引くと、折りたたまれたトイレットペーパーが巻き取り板３から簡便に取り出せ使用できる。
【考案の効果】
【０００３】  この片手でもできるトイレットペーパー巻き取り器を使用すれば、これまでよりもわずらわしくなく、簡便に使用分をきれいに切断できる。片手の方でもスムーズに使用でき、トイレットペーパーの節約にもなり経費節減できる。また既設の各種トイレットペーパーホルダーの下側にもとりつけできて利用もでき便利である。
【図面の簡単な説明】
【図１】  片手でもできるトイレットペーパーの巻き取り器の全体図である。
【図２】  片手でもできるトイレットペーパーの巻き取り器をトイレットペーパーホルダーに取り付けた立体斜視図である。
【符号の説明】１  巻き取り器の本体
２  円形の巻き取りハンドル
３  巻き取り板
４  ペーパー停止レバー（上下自在）
５  マグネットボックス
【図１】
0003188240.tif 000003
【図２】
0003188240.tif 000004
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
本体１と、巻き取り板３、前記巻き取り板３を回転させる円形の巻き取りハンドル２と、前記巻き取りハンドル２の近くであって、前記巻き取りハンドル２と共に片手で操作できる位置に設けられたペーパー停止レバー４と、からなるトイレットペーパー巻き取り器。
(57)【要約】      （修正有）【課題】地震の１次災害より身を守ることは元より、２次災害に備えられる様に完全にシェルターより脱出出来る様な安全で強度の有する室内地震シェルターを提供する。【解決手段】後部枢体１と中部枢体２と前部枢体３とで構成される。中部枢体２をスライドさせて伸縮させる。引戸フレーム付きドア１４と脱出用ハッチが取付け構成される。【選択図】図４
0003188233.tif 000002
【実用新案登録請求の範囲】
【請求項１】
後部枢体（１）と中部枢体（２）と前部枢体（３）とで構成されて、中部枢体（２）をスライドさせて伸縮させる構造物。
【請求項２】
引戸フレーム（１３）付きドア（１４）を取付け構成された構造物。
【請求項３】
脱出用ハッチ（１８）を取付け構成された室内地震シェルターの構造物。
【考案の詳細な説明】
【技術分野】
【０００１】大地震の際に大型電化製品、家具の転倒や天井物の落下、木造住宅の倒壊により、押潰される事のない様にする為に使用される室内地震シェルターです。
【背景技術】
【０００２】室内地震シェルターに関する。
【先行技術文献】
【特許文献】
【０００３】室内地震シェルターに関するにシェルター本体が伸縮及び脱出用ハッチ（１８）及び引戸フレーム（１３）付きドア（１４）を組入れ構成されたものは文献に有りません。
【考案の概要】
【考案が解決しようとする課題】
【０００４】地震の１次災害より身を守ることは元より、２次災害に備えられる様に完全にシェルターより脱出出来る様な安全で強度の有する室内地震シェルターを提供する。
【課題を解決するための手段】
【０００５】実用新登録  登録第３０９９８４４    引戸フレーム（１３）付きドア（１４）を組入れる事により素早く避難でき、かつ引戸に倒壊物が害して引戸が動かない場合には、ドア（１４）を矢印（１６）方向に開きます。
脱出用ハッチ（１８）が有するので、前部枢体（３）が床面に倒れて脱出不能になっても、丸環付きピン（８）と丸環付きピン（９）を抜き取り、取手（１９）を持ち脱出用ハッチ（１８）を取りはずし脱出する。
【考案の効果】
【０００６】後部枢体（１）中部枢体（２）前部枢（３）とで構成され、伸縮するので通常使用の時は設置場所が小さくすむこと
引戸フレーム（１３）付きドア（１４）や脱出用ハッチ（１８）が組入れてあるので安全である。
【図面の簡単な説明】
【０００７】
【図１】縮状の平面明細図
【図２】伸状の平面明細図
【図３】後部の立面明細図
【図４】縮状の斜視図
【図５】伸状の斜視図
【考案を実施するための形態】
【０００８】部屋の１部に設置するのですが、後部枢体（１）と中部枢体（２）と前部枢体（３）が連結１体化されている室内地震シェルターは、家具、サイドボードや大型冷蔵庫を設置する様な事と同様です。
【実施例】
【０００９】家具を置く様なもので、所定に置くだけで設置完了です
通常は縮状にして、ドア（１４）の付いた引戸フレーム（１３）を矢印（１７）方向に開けたままにして置きますが、寝床などにして利用したい時には、ピンホール（４）から丸環付きピン（７）を抜き取りピンホール（５）に差し入れてから、取手（１０）を握り矢印（１５）方向に引きます
中部枢体（２）がスライドして全開すると、ピンホール（５）に差し入れた丸環付きピン（７）が、ピンホール（６）に落とし入れて伸縮を止める
丁番（３９）より丸環付きピン（８）と、丁番（４０）より丸環付きピン（９）を抜き取り、取手（１９）を握り脱出用ハッチ（１８）を取りはずして脱出する
地震の揺れが終るまで取手（４５）を握り過す、かつ光取入孔（２１）からは暗いシェルターに光を入れる事で不安を少し和らげられるなど。
【産業上の利用可能性】
【００１０】大型家具の様に一般家庭に室内地震シェルターを備えられる様に成りますと、資材、製造の活性に成ります。
【符号の説明】
【００１１】  １  後部枢体
２  中部枢体
３  前部枢体
４  ピンホール
５  ピンホール
６  ピンホール
７  丸環付きピン
８  丸環付きピン
９  丸環付きピン
１０  取手
１１  床板１
１２  床板２
１３  引戸フレーム
１４  ドア
１５  矢印
１６  矢印
１７  矢印
１８  脱出用ハッチ
１９  取手
２０  ドアノブ
２１  光取入孔
２２  内張パネル
２３  内張パネル
２４  外張パネル
２５  外張パネル
２６  ストッパー付きローラー
２７  ストッパー付きローラー
２８  ストッパー付きローラー
２９  ストッパー付きローラー
３０  ストッパー付きローラー
３１  ストッパー付きローラー
３２  ローラー
３３  ローラー
３４  ローラー
３５  丁番
３６  丁番
３７  丁番
３８  丁番
３９  丁番
４０  丁番
４１  テレビ取付けフレーム
４２  電源取入孔
４３  粘着マット
４４  床
４５  取手
４６  丁番
４７  丁番
【図１】
0003188233.tif 000003
【図２】
0003188233.tif 000004
【図３】
0003188233.tif 000005
【図４】
0003188233.tif 000006
【図５】
0003188233.tif 000007
【手続補正書】
【提出日】平成25年8月22日(2013.8.22)
【手続補正１】
【補正対象書類名】実用新案登録請求の範囲
【補正対象項目名】全文
【補正方法】変更
【補正の内容】
【実用新案登録請求の範囲】
【請求項１】
後部枢体（１）と中部枢体（２）と前部枢体（３）とで構成され、中部枢体（２）と前部枢体（３）とで伸縮、移動させることを特徴とする請求項１記載の構造物。
【手続補正書】
【提出日】平成25年10月22日(2013.10.22)
【手続補正１】
【補正対象書類名】実用新案登録請求の範囲
【補正対象項目名】全文
【補正方法】変更
【補正の内容】
【実用新案登録請求の範囲】
【請求項１】
後部枢体（１）はｕ字ドーム状形でありて、内部空間部に中部枢体（２）の半分程が収納出来るかつ前方部の内部に突起がある構造を有して中部枢体（２）の突起部と接して、ストッパーの役割をする。また、底部は床面に接して設置固定する枢体である
中部枢体（２）も後部枢体（１）同様にｕ字ドーム状形であり後部枢体（１）同様に突起が前方、後方部に有して中部枢体（２）の伸び過ぎて、脱落防止用、ストッパーの役割をする構造であり中央部には枢体を支えてスムーズに動く様に、ストッパー付き、ローラー（２６）などを左右に１個づつ付けてある
前部枢体（３）も後部枢体（１）中部枢体（２）同様にｕ字ドーム状形であり後部枢体（１）同様に内部空間部に中部枢体（２）の半分程が収納出来る。また中部枢体（２）同様にストッパー付きローラー（２７）などを前後、左右に２×２の計、４個を付けてある
さらに、後部枢体（１）同様に枢体後部内に突起部が有して中部枢体（２）の突起とで脱落防止用ストッパの役割をする
以上により
後部枢体（１）を床面に設置固定
中部枢体（２）と前部枢体（３）を前後にスライドさせ動かしてシェルターの伸縮を特徴とする室内地震シェルター。
(57)【要約】      （修正有）【課題】形状、装飾が容易な上、光る機能を備えたオートバイ用燃料タンクを提供する。【解決手段】ＦＲＰ樹脂の本来の特性である、塗装などの着色を施さなければ半透明で光を通す事に着目、燃料タンクの構造体３を作成、燃料タンクの構造体裏面に軟質ＬＥＤ照明装置４を両面粘着テープにより貼り付け組み合わせることにより、燃料を保持する機能に加え光る機能を付け加え高い装飾性を有することを特徴とする。【選択図】図１
0003188230.tif 000002
【実用新案登録請求の範囲】
【請求項１】
本考案は、FRP樹脂の本来の特性である、塗装などの着色を施さなければ半透明で光を通す事に着目、構造体を作成。
当該燃料タンクの構造体と軟質LED照明装置を組み合わせることにより、燃料を保持する機能に加え光る機能を付け加えた。
【考案の詳細な説明】
【技術分野】
【０００１】
本考案は形状、装飾が容易な上、光る機能を備えたオートバイ用燃料タンクに関するものである。
【背景技術】
【０００２】
FRP樹脂は成型が容易な上、デザインの自由度も高く、
成型のための型も安価であるため、自動車の構成部品である
バンパー、やボンネットその他の装飾部品の材料として広く使われています。
【０００３】
近年、自動車の安全確保のために、多種多様なLED照明が利用されている。
【先行技術文献】
【特許文献】
【０００４】
【特許文献１】登録実用新案  第３１７９６７１号
【特許文献２】「特許文献１」の「実用新案登録第３１７９６７１号」は本考案において構造体であるFRP樹脂燃料タンクを光らせるための光源についての背景技術である。
【非特許文献】
【０００５】
【非特許文献１】浜  素紀著  「FRPボディとその成型法」  グランプリ出版  1998年
【非特許文献２】「非特許文献１」の「FRPボディとその成型法」は本考案の構造体であるFRP樹脂成型についてその強度およびFRP樹脂成型の背景技術を表すものである。
【非特許文献３】株式会社  三栄書房  発行  「LEDドレスアップ完全読本  vol.4」  2012年
【非特許文献４】「非特許文献３」の「LEDドレスアップ完全読本  vol.4」はLED照明の自動車の装飾への利用方法など説明されており、特に５８頁から７３頁の記述は本考案の光源に使用するLEDラインテープの特性をわかりやすく説明するものである。
【考案の概要】
【考案が解決しようとする課題】
【０００６】
従来のオートバイの燃料タンクは、燃料を保持する機能を満たす他は
装飾として、その形状をデザインするか、表面の塗装により外観を装飾することでしか
個性を表現する手段が無いのが現状であった。
【課題を解決するための手段】
【０００７】
本考案は本来のオートバイ燃料タンクの持つ、燃料を保持する機能に加え、構造体を光を通すFRP樹脂で製作することで燃料タンクそのものを光らせ、燃料タンクに他に類を見ない装飾性を付加することにより魅力機能を高める。
【考案の効果】
【０００８】
オートバイの車両展示イベント、デモンストレーション、宣伝等人目を引きつける必要のある状況において燃料タンクが光るという、従来には無かった機能を持たせることで、本考案燃料タンクを装着した車両が特別な装飾性を発揮することにより注目を集めることが期待できます。
【図面の簡単な説明】
【０００９】
【図１】「図1」は本考案の「光る燃料タンク」の全体構造を示す斜視図
【図２】「図2」は本考案「光る燃料タンク」の全体構造の詳細を示す縦断面図
【図３】「図3」は実際に本考案の「光る燃料タンク」を装着した実施例である。
【図４】「図4」は本考案燃料タンクの外観塗装の状態を示すものである。昼間のように明るい状態では図4のように本考案燃料タンクは外観塗装により装飾された状態となる。
【考案を実施するための形態】
【００１０】
本考案を実施するにおいては、従来からあるFRP樹脂の光をとおす特性を生かし、加えて近年の技術である「軟質LED照明管」を組み合わせることによりオートバイの機能部品である、「燃料タンク」に装飾部品としての特性を付加することに成功した。
【実施例】
【００１１】
「図１」は実際に本考案の「光る燃料タンク」を装着した実施例である。
【符号の説明】
【００１２】
「図1」１は半透明な塗装処理において光を透過させる部分を示す。２は１同様の塗装処理において文字などのロゴを光らせ表示することも可能なことを示す。３はFRP樹脂による構造体を示す。４は本考案を光らせるための光源となる軟質LEDテープの貼付状態を示す。5および5aの一点鎖線は図2の切断面を示す切断線。
【００１３】
「図2」Aは本考案構造体の表面の遮光塗装部分を示す。Bは本考案構造体であるFRP樹脂タンク本体の断面を示す。Cは本考案の機能である燃料の保持をする空間を示す。Dは本考案の光る部分を示す。Eは本考案を光らせる光源である軟質LEDテープを示す。Fは燃料補給口を示す。
【図１】
0003188230.tif 000003
【図２】
0003188230.tif 000004
【図３】
0003188230.tif 000005
【図４】
0003188230.tif 000006
【手続補正書】
【提出日】平成25年7月16日(2013.7.16)
【手続補正１】
【補正対象書類名】実用新案登録請求の範囲
【補正対象項目名】請求項１
【補正方法】変更
【補正の内容】
【請求項１】
本考案燃料タンクは、FRP樹脂の本来の特徴である、塗装などを施さなければ半透明で光を通す事に着目、当該燃料タンクの構造体を作成、当該燃料タンクの構造体と軟質LED照明装置を組み合わせることにより、本来の燃料タンクの燃料を保持する機能に加え、燃料タンクに光る機能を付け加えた事により高い装飾性を特徴とする燃料タンクとなった。
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
本考案は、FRP樹脂の本来の特性である、塗装などの着色を施さなければ半透明で光を通す事に着目、当該燃料タンクの構造体を作成、当該燃料タンクの構造体裏面に軟質LED照明装置を両面粘着テープにより貼り付け(図面１の４、および図面２のＥ参照)組み合わせることにより、燃料を保持する機能に加え光る機能を付け加え高い装飾性を有することを特徴とする燃料タンク。
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、FRP樹脂の本来の特性である、塗装などの着色を施さなければ半透明で光を通す事に着目、当該燃料タンクの構造体を作成、当該燃料タンクの構造体裏面に軟質LED照明装置を両面粘着テープにより貼り付け組み合わせることにより、燃料を保持する機能に加え光る機能を付け加え高い装飾性を有することを特徴とする燃料タンク。
(57)【要約】      （修正有）【課題】家庭で使われるゴミ用ポリ袋を、より使い易く、より廉く製る構造を提供する。【解決手段】加工・製袋時、一袋毎に開放側・閉底側を反転し、不要な端切れを造らず、使用に際して、袋の開放側が４片の紐状部に依りダブルで結べ、袋の閉底側は丸底を成す、使用の目的に適した構造である。【選択図】図２
0003188224.tif 000002
【実用新案登録請求の範囲】
【請求項１】
素材に害虫忌避を混入し、袋の開放時に害虫が侵入しない工夫。
【請求項２】
加工・製袋時に、一袋毎に開放側・閉底側を反転する事により、端切を創らない工夫。
【請求項３】
製品の梱包に細棒を添え、使用時にロールの芯へ挿し、棒の両端へ紐を付ける事により、机・台・壁などへ吊り下げられる工夫。又は一巻包装の際、一巻用箱の側面にある穴を通し同封の細棒でロール芯も貫けば、箱はロールホルダーとなる工夫。
【考案の詳細な説明】
【技術分野】
【０００１】  本考案は、家庭で使われるゴミ用ポリ袋を、より使い易く、より廉く製る工夫である。
【背景技術】
【０００２】  従来  レジ袋は熱可塑性樹脂のフィルムを筒状に連続成形し、開放端・閉底端を成す横断シールと持手切出裁断を施した物であった。【０００３】  レジ袋は使途後  多くはゴミ袋に転用される。その際  開放端の持手部分は閉手紐に成るが  寧ろ邪魔である。当初からゴミ袋として製作する場合  それに合わせた形状が良い。
【考案の開示】
【考案が解決しようとする課題】
【０００４】  材質として  害虫忌避剤を混入した物とする。【０００５】  筒状フィルムを横方向に四折又は襠折又は交互折し、閉底端を成す横断シールを施す。横断シールは近接して２回施し、袋深さの２倍長さ毎にダブル横断シールを施し、その横断シールの狭間にやはり横断する破線状切れ目を施し、仮称トリプルシールとする。そのトリプルシールの間隔の中点に積分記号様縦長な横断曲線の破線状切れ目を施す。【０００６】  トリプルシールで切り離さず長尺のままロール巻きとし、中間製品として次工程へ送る。
【課題を解決するための手段】
【０００７】  害虫忌避剤としてはＢＨＣなどを対象とする。【０００８】  横方向に四折又は襠折又は交互折した筒状フィルムはトリプルシールで切り離し、一袋毎に折り畳み、更に幾袋分かで包装するか、トリプルシールで切らず、ロールにした場合幾巻分で一梱包とする他に、一巻毎の包装も作り、心棒も備えて使用の際の便宜を考える。
【考案の効果】
【０００９】  本ポリ袋は  横方向に四折又は襠折又は交互折した故に  使用時  閉じ手紐が４本あり、使用上多目的になり有意義であり、閉底シールが短いから丸底を成し使い勝手を良くする。【００１０】  本ポリ袋は  用途に合せその包装形態を選び、包装入れ目も多様とする。特に試供用等一巻包装では、丈夫な箱型とし、箱自体がロールのホルダー役を務める。
【考案を実施するための最良の形態】
【００１１】  図１のように  筒状フィルムを横方向に四折又は襠折又は交互折し、閉底端を成す横断シールを施す。横断シールは近接して２回施し、横断シールの狭間にやはり横断する破線状切れ目を施してトリプルシールとし、袋深さの２倍長さ毎にトリプルシールを施す。
【実施例１】
【００１２】  図２のように  トリプルシールの間隔の中点に縦長な横断曲線の破線状切れ目を施す。
【産業上の利用可能性】
【００１３】  ゴミ用ポリ袋に限らず、密封不要なポリ袋では  共通して有効な工夫である。
【図面の簡単な説明】
【００１４】
【図１】筒状フィルムを横方向に四折又は襠折又は交互折し、横断シールを施す。横断シールは近接して２回施し、狭間に破線状切れ目を施しトリプルシールとする。
【図２】トリプルシールの間隔の中点に縦長な横断曲線の破線状切れ目を施す。
【符号の説明】
【００１５】１  四折
２  襠折
３  交互折
４  トリプルシール
５  横断曲線の破線状切れ目
【図１】
0003188224.tif 000003
【図２】
0003188224.tif 000004
【手続補正書】
【提出日】平成25年6月17日(2013.6.17)
【手続補正１】
【補正対象書類名】実用新案登録請求の範囲
【補正対象項目名】全文
【補正方法】変更
【補正の内容】
【実用新案登録請求の範囲】
【請求項１】
素材に害虫忌避剤を混入し、袋の開放時に害虫が侵入しない材質。
【請求項２】
加工・製袋時、一袋毎に開放側・閉底側を反転して、不要な端切れを造らない構造。
【請求項３】
製品一巻用包装紙箱の側面にある穴を通り、ロール芯を通り、対面の穴を通る芯棒を備え、包装用紙箱が即ロールホルダーになる構造。
【手続補正書】
【提出日】平成25年8月19日(2013.8.19)
【手続補正１】
【補正対象書類名】実用新案登録請求の範囲
【補正対象項目名】全文
【補正方法】変更
【補正の内容】
【実用新案登録請求の範囲】
【請求項１】
加工・製袋時、一袋毎に  開放側・閉底側を反転し、不要な端切れを造らない構造。
【手続補正書】
【提出日】平成25年10月21日(2013.10.21)
【手続補正１】
【補正対象書類名】実用新案登録請求の範囲
【補正対象項目名】全文
【補正方法】変更
【補正の内容】
【実用新案登録請求の範囲】
【請求項１】
加工・製袋時、一袋毎に  開放側・閉底側を反転し、不要な端切れを造らず、
使用に際して、袋の開放側が４片の紐状部に依りダブルで結べ、袋の閉底側は丸底を成す、使用の目的に適した構造。